(57)【要約】  排水弁の弁体（１００）、排水弁及び取り付け方法が開示される。前記弁体（１００）は、互いに接続される第１管部（１０１）及び第２管部（１０２）を含み、二重管式構造が形成されるように前記第１管部（１０１）が第２管部（１０２）の内側に伸入し又は前記第２管部（１０２）が第１管部（１０１）の外側を覆う。当該弁体（１００）は、管状であり、管状の弁体（１００）は、変形することにより二重管式構造になり、二重管式構造の射出成形が困難であるという問題が解決される。当該弁体（１００）は、一体成形され、別体式弁体（１００）の密封性が悪いという問題が解決される。弁体（１００）が排水口を閉塞する場合、洗浄水は、第１管部（１０１）から引き出すことができ、洗浄水の水質や水位などを検出するのに便利である。また、第１管部（１０１）は、排水弁の弁体ロッド（１０７）などの構造から洗浄水を隔離し、排水弁の弁体ロッド（１０７）などの構造に損傷を与えることがないため、より安全で、排水弁の使用寿命が大幅に増加する。【選択図】図１
2021529581.tif 000002
【特許請求の範囲】
【請求項１】
互いに接続される第１管部及び第２管部を含み、
二重管式構造が形成されるように前記第１管部は前記第２管部の内側に伸入し又は前記第２管部は前記第１管部の外側を覆う、
ことを特徴とする排水弁の弁体。
【請求項２】
前記第１管部の内径は、前記第２管部の内径よりも小さく、
前記二重管式構造が形成されるように前記第１管部は前記第２管部の内側に伸入し、
又は、前記二重管式構造が形成されるように前記第２管部は前記第１管部の外側を覆い、
前記第２管部と前記第１管部の内径差は、前記第１管部の壁厚よりも大きい、
ことを特徴とする請求項１に記載の排水弁の弁体。
【請求項３】
前記第１管部と前記第２管部との間に設けられる接続管部であって、両端が前記第１管部及び前記第２管部にそれぞれ接続される接続管部をさらに含み、
前記接続管部の内径は、前記第１管部から前記第２管部へ向かう方向において漸次に増加し、
前記第１管部、前記第２管部及び前記接続管部は、一体形成される、
ことを特徴とする請求項２に記載の排水弁の弁体。
【請求項４】
排水口を閉塞するための閉塞部であって、前記第１管部と前記第２管部とが接続される接続箇所の内壁又は外壁に設けられる閉塞部をさらに含み、
前記閉塞部は、前記第１管部と前記第２管部との間に位置する接続管部の内壁又は外壁に設けられる、
ことを特徴とする請求項１〜３のいずれか１項に記載の排水弁の弁体。
【請求項５】
前記閉塞部は、前記接続管部の内壁が部分的に内側に伸入することによって形成される環状突起であり、
又は、前記閉塞部は、前記接続管部の外壁が部分的に外側に伸入することによって形成される環状突起であり、
前記環状突起は、厚さがその伸入方向に沿って漸次に薄くなる、
ことを特徴とする請求項４に記載の排水弁の弁体。
【請求項６】
前記第１管部及び／又は前記第２管部は、変形部を有し、
前記第１管部及び／又は前記第２管部が力を受けるとき、前記変形部が変形することにより前記第１管部及び／又は前記第２管部が変形し、
前記第１管部及び／又は前記第２管部は、いずれも弾性材料から構成され、
又は、前記第１管部及び／又は前記第２管部は、前記変形部としての波形管部を有する、
ことを特徴とする請求項４に記載の排水弁の弁体。
【請求項７】
筐体と、
互いに接続される第１管部及び第２管部を含む弁体と、
前記筐体に対して伸縮移動可能に前記筐体内に取り付けられる弁体ロッドと、を備え、
二重管式構造が形成されるように前記第１管部は前記第２管部の内側に伸入し又は前記第２管部は前記第１管部の外側を覆い、
前記第２管部は、前記弁体ロッドの一端を覆い、前記第１管部と前記第２管部とが接続される接続箇所から離間した一端が前記筐体に接続され、
前記第１管部は、前記弁体ロッドの内側に設けられ、前記第１管部と前記第２管部とが接続される前記接続箇所から離間した一端が前記弁体ロッドの他端から伸出し、
前記弁体ロッドが前記筐体から伸出するとき、前記第１管部と前記第２管部とが接続される前記接続箇所は、密封されるように排水口と接続され、
前記筐体は、キャビディを有し、
前記弁体ロッドは、中空ロッドであり、前記キャビディに対して伸縮移動可能に前記キャビディ内に設けられ、
前記第２管部は、前記中空ロッドの一端の外壁を覆い、前記第１管部と前記第２管部とが接続される前記接続箇所から離間した一端が前記キャビディの内壁に接続され、
前記中空ロッドの他端の側壁には、開口が形成され、
前記第１管部は、前記中空ロッドの中空キャビディ内に設けられ、前記第１管部と前記第２管部とが接続される前記接続箇所から離間した一端が前記開口から伸出し、
前記第１管部の内径は、前記第２管部の内径よりも小さい、
ことを特徴とする排水弁。
【請求項８】
前記弁体は、前記第１管部と前記第２管部とが接続される前記接続箇所の外壁に設けられ前記排水口を閉塞するための閉塞部をさらに含み、前記第２管部は、前記弁体ロッドを覆い、内壁が前記弁体ロッドの外壁に対向し、前記閉塞部は、前記排水口を向き、
又は、前記閉塞部は、前記第１管部と前記第２管部とが接続される前記接続箇所の内壁に設けられ、前記第２管部は、外側に反転されて前記弁体ロッドを覆い、前記閉塞部は、内側から外側に反転されて前記排水口を向き、
前記第１管部と前記第２管部との間には、接続管部が設けられ、前記閉塞部は、前記接続管部の内壁又は外壁に設けられる、
ことを特徴とする請求項７に記載の排水弁。
【請求項９】
筐体と、互いに接続される第１管部及び第２管部を含む弁体と、前記筐体に対して伸縮移動可能に前記筐体内に取り付けられる弁体ロッドと、を含む排水弁の取り付け方法であって、
前記第２管部を前記弁体ロッドに覆わせ、前記第２管部の内壁を前記弁体ロッドの一端の外壁に対向させ、前記第１管部と前記第２管部とが接続される接続箇所から離間した前記第２管部の一端を前記筐体に接続させ、
前記第１管部を内側に反転させて前記弁体ロッドの内側に伸入させることで、前記第２管部と共に二重管式構造を形成し、前記第１管部と前記第２管部とが接続される前記接続箇所から離間した前記第１管部の一端を前記弁体ロッドの他端から伸出させ、前記第１管部と前記第２管部とが接続される前記接続箇所の外壁を排水口に対向させ、
外壁に閉塞部が設けられる接続管部を前記第１管部と前記第２管部との間に設け、前記閉塞部が前記排水口に対向するように前記弁体ロッドの内側に伸入する前記第１管部の長さを調整する、
ことを特徴とする排水弁の取り付け方法。
【請求項１０】
筐体と、互いに接続される第１管部及び第２管部を含む弁体と、前記筐体に対して伸縮移動可能に前記筐体内に取り付けられる弁体ロッドと、を含む排水弁の取り付け方法であって、
前記第１管部を前記弁体ロッドの一端から伸入させて前記弁体ロッドの他端から伸出させ、
前記第２管部を外側に反転させて前記弁体ロッドの外壁に覆わせることで、前記第１管部と共に二重管式構造を形成し、前記第１管部と前記第２管部とが接続される接続箇所から離間した前記第２管部の一端を前記筐体に接続させ、前記第１管部と前記第２管部とが接続される前記接続箇所の内壁を排水口に対向させ、
内壁に閉塞部が設けられる接続管部を前記第１管部と前記第２管部との間に設け、取り付け時に前記閉塞部は、前記接続管部の内部から反転されて前記排水口に対向する、
ことを特徴とする排水弁の取り付け方法。
【発明の詳細な説明】
【技術分野】
【０００１】
本発明は、洗濯機の分野に関し、具体的には、排水弁の弁体、排水弁及び取り付け方法に関するものである。
【背景技術】
【０００２】
現在、水資源を節約するために、洗濯機はますます無孔式内槽を採用している。洗浄時には、内槽と外槽の間に貯水がなく、内槽は洗浄槽であり、外槽は排水槽であり、内外槽の間が連通する。従来の無孔内槽パルセータ洗濯機は、構造上の制限により、水位や水質などのパラメータの検出が実現しにくい。
【０００３】
ＣＮ１０６７０２６６２Ａ−槽間無水洗濯機及び制御方法において、前記洗濯機は、外槽と、内槽と、空気室と、空気室に接続される圧力センサとを含む。前記内槽は、上部の辺縁付近に複数の脱水孔が設けられ、底部に少なくとも一つの内槽排水口が設けられる。外槽は、底部に内槽排水口を閉塞可能な伸縮式排水弁が設けられるとともに外槽排水口が設けられる。前記外槽排水口には洗濯機排水管路が設けられる。外槽には内槽に連通する空気室が設けられる。空気室には空気室内の水を排出可能な空気室排出口が設けられる。当該伸縮式排水弁の弁ロッドは中空構造であり、洗浄水は当該伸縮構造の中空部位から引き出し、排水管路を介して検出装置に導いて検出することができる。弁ロッドは、二つに分かれ、洗浄水が汚れすぎ又は長期間使用すると、接続箇所が詰まりやすく、駆動装置の出力が増加し、長期間使用すると駆動装置が損傷しやすくなる。
【０００４】
これを考慮して本発明を提案する。
【発明の概要】
【０００５】
本発明によって解決されるべき技術的問題は、従来技術の欠点を克服し、排水弁の弁体、排水弁及び取り付け方法を提供することにある。当該弁体は、管状であり、管状の弁体は、変形することにより二重管式構造になり、二重管式構造の射出成形が困難であるという問題が解決される。当該弁体は、一体成形され、別体式弁体の密封性が悪いという問題が解決される。弁体が排水口を閉塞する場合、洗浄水は、第１管部から引き出すことができ、洗浄水の水質や水位などを検出するのに便利である。また、第１管部は、排水弁の弁体ロッドなどの構造から洗浄水を隔離し、排水弁の弁体ロッドなどの構造に損傷を与えることがないため、より安全で、排水弁の使用寿命が大幅に増加する。
【０００６】
上記技術的問題を解決するために、本発明によって採用される技術的手段の基本的な考え方は次のとおりである。
【０００７】
排水弁の弁体は、互いに接続される第１管部及び第２管部を含み、二重管式構造が形成されるように前記第１管部は前記第２管部の内側に伸入し又は前記第２管部は前記第１管部の外側を覆う。
【０００８】
前記第１管部の内径は、前記第２管部の内径よりも小さく、
前記二重管式構造が形成されるように前記第１管部は前記第２管部の内側に伸入し、
又は、前記二重管式構造が形成されるように前記第２管部は前記第１管部の外側を覆い、
前記第２管部と前記第１管部の内径差は、前記第１管部の壁厚よりも大きい。
【０００９】
前記第１管部と前記第２管部との間に設けられる接続管部であって、両端が前記第１管部及び前記第２管部にそれぞれ接続される接続管部をさらに含み、
前記接続管部の内径は、前記第１管部から前記第２管部へ向かう方向において漸次に増加し、
前記第１管部、前記第２管部及び前記接続管部は、一体形成される。
【００１０】
排水口を閉塞するための閉塞部であって、前記第１管部と前記第２管部とが接続される接続箇所の内壁又は外壁に設けられる閉塞部をさらに含み、
前記閉塞部は、前記第１管部と前記第２管部との間に位置する接続管部の内壁又は外壁に設けられる。
【００１１】
前記閉塞部は、前記接続管部の内壁が部分的に内側に伸入することによって形成される環状突起であり、
又は、前記閉塞部は、前記接続管部の外壁が部分的に外側に伸入することによって形成される環状突起であり、
前記環状突起は、厚さがその伸入方向に沿って漸次に薄くなる。
【００１２】
前記第１管部及び／又は前記第２管部は、変形部を有し、
前記第１管部及び／又は前記第２管部が力を受けるとき、前記変形部が変形することにより前記第１管部及び／又は前記第２管部が変形し、
前記第１管部及び／又は前記第２管部は、いずれも弾性材料から構成され、
又は、前記第１管部及び／又は前記第２管部は、前記変形部としての波形管部を有する。
【００１３】
排水弁は、
筐体と、
互いに接続される第１管部及び第２管部を含む弁体と、
前記筐体に対して伸縮移動可能に前記筐体内に取り付けられる弁体ロッドと、を備え、
二重管式構造が形成されるように前記第１管部は前記第２管部の内側に伸入し又は前記第２管部は前記第１管部の外側を覆い、
前記第２管部は、弁体ロッドの一端を覆い、前記第１管部と前記第２管部とが接続される接続箇所から離間した一端が前記筐体に接続され、
前記第１管部は、前記弁体ロッドの内側に設けられ、前記第１管部と前記第２管部とが接続される前記接続箇所から離間した一端が前記弁体ロッドの他端から伸出し、
前記弁体ロッドが前記筐体から伸出するとき、前記第１管部と前記第２管部とが接続される前記接続箇所は、密封されるように排水口と接続され、
前記筐体は、キャビディを有し、
前記弁体ロッドは、中空ロッドであり、前記キャビディに対して伸縮移動可能に前記キャビディ内に設けられ、
前記第２管部は、前記中空ロッドの一端の外壁を覆い、前記第１管部と前記第２管部とが接続される前記接続箇所から離間した一端が前記キャビディの内壁に接続され、
前記中空ロッドの他端の側壁には、開口が形成され、
前記第１管部は、前記中空ロッドの中空キャビディ内に設けられ、前記第１管部と前記第２管部とが接続される前記接続箇所から離間した一端が前記開口から伸出し、
前記第１管部の内径は、前記第２管部の内径よりも小さい。
【００１４】
前記弁体は、前記第１管部と前記第２管部とが接続される前記接続箇所の外壁に設けられ前記排水口を閉塞するための閉塞部をさらに含み、前記第２管部は、前記弁体ロッドを覆い、内壁が前記弁体ロッドの外壁に対向し、前記閉塞部は、前記排水口を向き、
又は、前記閉塞部は、前記第１管部と前記第２管部とが接続される前記接続箇所の内壁に設けられ、前記第２管部は、外側に反転されて前記弁体ロッドを覆い、前記閉塞部は、内側から外側に反転されて前記排水口を向き、
前記第１管部と前記第２管部との間には、接続管部が設けられ、前記閉塞部は、前記接続管部の内壁又は外壁に設けられる。
【００１５】
筐体と、互いに接続される第１管部及び第２管部を含む弁体と、前記筐体に対して伸縮移動可能に前記筐体内に取り付けられる弁体ロッドと、を含む排水弁の取り付け方法であって、
前記第２管部を前記弁体ロッドに覆わせ、前記第２管部の内壁を前記弁体ロッドの一端の外壁に対向させ、前記第１管部と前記第２管部とが接続される接続箇所から離間した前記第２管部の一端を筐体に接続させ、
前記第１管部を内側に反転させて前記弁体ロッドの内側に伸入させることで、前記第２管部と共に二重管式構造を形成し、前記第１管部と前記第２管部とが接続される前記接続箇所から離間した前記第１管部の一端を前記弁体ロッドの他端から伸出させ、前記第１管部と前記第２管部とが接続される前記接続箇所の外壁を排水口に対向させ、
外壁に閉塞部が設けられる接続管部を前記第１管部と前記第２管部との間に設け、前記閉塞部が前記排水口に対向するように前記弁体ロッドの内側に伸入する第１管部の長さを調整する。
【００１６】
筐体と、互いに接続される第１管部及び第２管部を含む弁体と、前記筐体に対して伸縮移動可能に前記筐体内に取り付けられる弁体ロッドと、を含む排水弁の取り付け方法であって、
前記第１管部を前記弁体ロッドの一端から伸入させて前記弁体ロッドの他端から伸出させ、
前記第２管部を外側に反転させて前記弁体ロッドの外壁に覆わせることで、前記第１管部と共に二重管式構造を形成し、前記第１管部と前記第２管部とが接続される接続箇所から離間した前記第２管部の一端を前記筐体に接続させ、前記第１管部と前記第２管部とが接続される前記接続箇所の内壁を排水口に対向させ、
内壁に閉塞部が設けられる接続管部を前記第１管部と前記第２管部との間に設け、取り付け時に前記閉塞部は、前記接続管部の内部から反転されて前記排水口に対向する。
【発明の効果】
【００１７】
１、当該弁体は、管状であり、管状の弁体を変形させることにより二重管式構造にし、二重管式構造の射出成形が困難であるという問題が解決され、加工に便利である。
２、二重管式構造が形成されるように第１管部は第２管部の内側に伸入し又は第２管部は第１管部の外側を覆う。弁体が排水口を閉塞する場合、洗浄水は、第１管部から引き出すことができ、洗浄水の水質や洗浄槽の液位を検出するのに便利である。また、第１管部は、排水弁の弁体ロッドなどの構造から洗浄水を隔離し、排水弁の弁体ロッドなどの構造に損傷を与えることがないため、より安全で、排水弁の使用寿命が大幅に増加する。
３、洗浄水は、第１管部から引き出され、検出装置に送られる。第１管部の内径は、第２管部の内径よりも小さいため、引き出される洗浄水の量を少なくすると同時に、検出装置にも一定の保護効果を有する。
４、前記第１管部、第２管部及び接続管部は、一体成形され、別体式弁体の密封性が悪いという問題が解決され、弁体の加工が便利になる。取り付け時には、それを二重管式構造に変形させるだけでよく、二重管式構造の射出成型が困難であるという問題が解決され、使用が便利である。
【００１８】
以下は図面を参照しながら本発明の具体的な実施形態をさらに詳細に説明する。
【図面の簡単な説明】
【００１９】
図面は本発明の一部として、本発明のさらなる理解を提供するために使用される。本発明の例示的な実施例及びその説明は、本発明を説明するために使用されるが、本発明の不適切な限定を構成しない。明らかに、以下の説明の図面は、いくつかの実施例に過ぎない。当業者にとって、創造的な作業なしにこれらの図面に基づいて他の図面を得ることができる。
【００２０】
【図１】本発明に係る弁体構造を示す概略図である。
【図２】本発明に係る別の弁体構造を示す概略図である。
【図３】本発明に係る排水弁構造を示す概略図である。
【図４】本発明に係る図３の排水弁を示す分解概略図である。
【図５】本発明に係る図１の弁体の取り付け方法である。
【図６】本発明に係る図２の弁体の取り付け方法である。
【００２１】
なお、これらの図面及びテキストの説明は、本発明の構想範囲を如何なる方法で限定することを意図するものではなく、特定の実施例を参照することによって当業者に本発明の概念を説明することを意図するものである。
【発明を実施するための形態】
【００２２】
本発明の実施例の目的、技術的手段及び利点をより明確にするために、以下は、本発明の実施例における図面を参照しながら実施例における技術的手段を明確かつ完全に説明する。以下の実施例は、本発明を説明するために使用されるが、本発明の範囲を限定するものではない。
【実施例１】
【００２３】
図１及び図２に示すように、互いに接続される第１管部１０１及び第２管部１０２を含む排水弁の弁体であって、二重管式構造が形成されるように前記第１管部１０１は第２管部１０２の内側に伸入し又は前記第２管部１０２は第１管部１０１の外側を覆う。
【００２４】
二重管式構造の一体的な射出成形は困難であり、弁体を第１管部１０１及び第２管部１０２を含む管状構造として設計することにより、第１管部１０１及び第２管部１０２の変形により二重管式構造が形成され、二重管式構造の射出成形が困難であるという問題が解決される。
【００２５】
二重管式構造が形成されるように前記第１管部１０１は第２管部１０２の内側に伸入し又は前記第２管部１０２は第１管部１０１の外側を覆う。第１管部１０１と第２管部１０２とが接続される接続箇所には入水口が形成される。当該弁体１００により排水口を閉塞する場合、洗浄水は、入水口から第１管部１０１に入り込むことができる。そして、当該部分の水を検出装置に排出することができる。検出装置は、洗浄水の水質や液位などのパラメータの検出を実現する液面検出装置や水質検出装置であってよい。
【００２６】
排水弁の弁体１００は、互いに接続される第１管部１０１及び第２管部１０２を含み、構造が単純で製造に便利である。取り付け時には、第１管部１０１と第２管部１０２の相対位置を変形させるだけで二重管式の弁体１００が得られる。当該弁体１００は、設計が巧妙であり、構造が単純である。
【００２７】
さらに、第１管部１０１及び第２管部１０２は、一体成形される。別体式弁体の密封性が悪いという問題が解決され、弁体の加工が便利になる。
【００２８】
さらなる手段において、前記第１管部１０１の内径は、第２管部１０２の内径よりも小さく、二重管式構造が形成されるように前記第１管部１０１が第２管部１０２の内側に伸入する。
又は、二重管式構造が形成されるように前記第２管部１０２が第１管部１０１の外側を覆う。
【００２９】
第１管部１０１の内径は第２管部１０２の内径よりも小さく、内径が小さい第１管部１０１は、少量の洗浄水を引き出すことにより、検出要求を満たすことができる。
【００３０】
さらなる手段において、第２管部１０２と第１管部１０１との内径差は、前記第１管部１０１の壁厚よりも大きい。
【００３１】
さらなる手段において、第１管部１０１と第２管部１０２との間に設けられる接続管部１０３であって、両端が第１管部１０１及び第２管部１０２にそれぞれ接続される接続管部１０３をさらに含む。
【００３２】
第１管部１０１と第２管部１０２との内径が異なる場合、接続箇所を設けることにより、応力集中を低減し、弁体１００の使用寿命を延長することができる。
【００３３】
前記接続管部１０３の内径は、第１管部１０１から第２管部１０２へ向かう方向において漸次に増加することが好ましい。
【００３４】
さらなる手段において、弁体１００は、排水口を閉塞するための閉塞部であって、第１管部１０１と第２管部１０２とが接続される接続箇所の内壁又は外壁に設けられる閉塞部をさらに含む。
【００３５】
閉塞部を設けることにより、排水弁が排水口を閉塞する場合、閉塞部が密封されるように排水口と接続され、閉塞効果がより向上する。二重管式構造の形成方式によって、閉塞部は、第１管部１０１と第２管部１０２とが接続される接続箇所の内壁に設けられてもよく、第１管部１０１と第２管部１０２とが接続される接続箇所の外壁に設けられてもよい。
【００３６】
さらなる手段において、第１管部１０１と第２管部１０２との間には、接続管部１０３が設けられ、前記閉塞部は、接続管部１０３の内壁又は外壁に設けられる。
【００３７】
さらなる手段において、閉塞部は、前記接続管部１０３の内壁が部分的に内側に伸入することによって形成される環状突起１０４である。
又は、閉塞部は、前記接続管部１０３の外壁が部分的に外側に伸入することによって形成される環状突起１０４である。
【００３８】
閉塞部と接続管部１０３とは一体形成され、製造に便利である。
【００３９】
さらなる手段において、前記環状突起１０４は、厚さが伸入方向に沿って漸次に薄くなる。当該構造により、閉塞部と排水口の位置決めが便利になり、さらに排水口への挿入が便利になるため、弁体１００と排水口の密封効果がより向上する。
【００４０】
さらなる手段において、第１管部１０１及び／又は第２管部１０２は、変形部を有し、第１管部１０１及び／又は第２管部１０２が力を受けるとき、変形部が変形することにより第１管部１０１及び第２管部１０２が変形する。
【００４１】
弁体１００が弁ロッドとともに伸縮移動するように弁ロッドに設けられるため、第１管部１０１及び／又は第２管部１０２に変形部を設けることにより、弁体１００が弁ロッドとともに伸縮移動しやすくなる。
【００４２】
さらなる手段において、前記第１管部１０１及び／又は第２管部１０２は、いずれも弾性材料で構成される。
【００４３】
第１管部１０１及び／又は第２管部１０２は、波形管部１０５を有し、前記変形部は、第１管部１０１及び／又は第２管部１０２の波形管部１０５である。
【実施例２】
【００４４】
図１〜図４に示すように、本実施例は、実施例１に記載の弁体を有する排水弁であって、筐体と、互いに接続される第１管部１０１及び第２管部１０２を含む弁体１００と、筐体に対して伸縮移動可能に筐体内に取り付けられる弁体１００ロッドと、を含む。二重管式構造が形成されるように前記第１管部１０１は第２管部１０２の内側に伸入し又は前記第２管部１０２は第１管部１０１の外側を覆う。第２管部１０２は、弁体１００ロッドの一端を覆う。第１管部１０１と第２管部１０２との接続箇所から離間した第２管部１０２の一端は、筐体に接続される。第１管部１０１は、弁体１００ロッドの内側に設けられる。第１管部１０１と第２管部１０２とが接続される接続箇所から離間した第１管部１０１の一端は、弁体１００ロッドの他端から伸出する。弁体１００ロッドが筐体から伸出するとき、前記第１管部１０１と第２管部１０２とが接続される接続箇所は、密封されるように排水口と接続される。
【００４５】
さらなる手段において、前記筐体は、キャビディを有する。前記弁体１００ロッドは、キャビディに対して伸縮移動可能にキャビディ内に設けられる。前記弁体１００ロッドは、中空ロッドである。第２管部１０２は、中空ロッドの一端の外壁を覆う。第１管部１０１と第２管部１０２とが接続される接続箇所から離間した第２管部１０２の一端は、キャビディの内壁に接続される。中空ロッドの他端の側壁には、開口１０８が設けられる。第１管部１０１は、中空ロッドの中空キャビディ内に設けられる。第１管部１０１と第２管部１０２とが接続される接続箇所から離間した第１管部１０１の一端は、開口１０８から伸出する。
【００４６】
前記第１管部１０１の内径は、第２管部１０２の内径よりも小さいことが好ましい。
【００４７】
さらなる手段において、前記弁体１００は、排水口を閉塞するための閉塞部をさらに含み、前記閉塞部は、第１管部１０１と第２管部１０２とが接続される接続箇所の外壁に設けられる。第２管部１０２は、弁体１００ロッドを覆い、内壁が弁体１００ロッドの外壁に対向する。前記閉塞部は、前記排水口を向く。
【００４８】
図５に示すように、手段１において、第１管部１０１と第２管部１０２との間には、接続管部１０３が設けられる。前記閉塞部は、接続管部１０３の外壁に設けられる。
【００４９】
当該排水弁の取り付け方法は、第２管部１０２の内壁を弁体１００ロッドの一端の外壁に接触させるようにして前記第２管部１０２を前記弁体１００ロッドに覆わせ、第１管部１０１と第２管部１０２とが接続される接続箇所から離間した第２管部１０２の一端を筐体に接続させ、次に第１管部１０１を内側に反転させて弁体１００ロッドの内側に伸入させることで、第２管部１０２と共に二重管式構造を形成し、第１管部１０１と第２管部１０２とが接続される接続箇所から離間した第１管部１０１の一端を弁体１００ロッドの他端から伸出させ、第１管部１０１と第２管部１０２とが接続される接続箇所の外壁を排水口に対向させる。
【００５０】
さらなる手段において、外壁に閉塞部が設けられる接続管部１０３を第１管部１０１と第２管部１０２との間に設け、取り付け時に、閉塞部が排水口に対向するように弁体１００ロッドの内側に伸入する第１管部１０１の長さを調整する。
【００５１】
図６に示すように、手段２において、前記閉塞部は、第１管部１０１と第２管部１０２とが接続される接続箇所の内壁に設けられる。前記第２管部１０２は、外側に反転されて弁体１００ロッドを覆う。元の第２管部１０２の外壁は、弁体１００ロッドの外壁に対向する。前記閉塞部は、内側から外側に反転されて前記排水口を向く。
【００５２】
さらなる手段において、第１管部１０１と第２管部１０２との間には、接続管部１０３が設けられる。前記閉塞部は、接続管部１０３の内壁に設けられる。
【００５３】
取り付け方法は、前記第１管部１０１を弁体１００ロッドの一端から伸入させて弁体１００ロッドの他端から伸出させ、次に前記第２管部１０２を外側に反転させて前記弁体１００ロッドの外壁を覆うことで、第１管部１０１と共に二重管式構造を形成し、第１管部１０１と第２管部１０２とが接続される接続箇所から離間した第２管部１０２の一端を筐体に接続させ、第１管部１０１と第２管部１０２とが接続される接続箇所の内壁を排水口に対向させる。
【００５４】
さらなる手段において、内壁に閉塞部が設けられる接続管部１０３を第１管部１０１と第２管部１０２との間に設け、取り付け時に、前記閉塞部は、接続管部１０３の内側から反転されて排水口に対向する。
【実施例３】
【００５５】
図３及び図５に示すように、本実施例は、実施例２の具体的な手段である。排水弁は、筐体と、弁体１００と、筐体に対して伸縮移動可能に筐体内に取り付けられる弁体１００ロッドと、を含む。筐体は、弁体外筐１０６と、それに取り付けられる外槽インターフェース１０９と、を含む。洗濯機は、洗浄時に水を入れる内槽と、内槽の外側に設けられる外槽とを、含み、前記外槽の槽高は前記内槽の槽高よりも小さい。前記外槽には取り付け口が設けられる。前記外槽インターフェース１９０は前記取り付け口を通過する。前記弁体外筐１０６は外槽に取り付けられる。
【００５６】
弁体１００は、第１管部１０１、第２管部１０２及び接続管部１０３を含む。接続管部１０３は、一端が第１管部１０１の一端に接続され、他端が第２管部１０２の一端に接続される。第１管部１０１の他端及び第２管部１０２の他端はいずれも懸架される。第１管部１０１、接続管部１０３及び第２管部１０２は、一体形成されることが好ましい。
【００５７】
第１管部１０１の内径は、第２管部１０２の内径よりも小さい。接続管部１０３の外壁は部分的に外側に突出して環状突起１０４を形成する。環状突起１０４は、厚さが接続管部１０３の中心軸線から離間する方向に向かって漸次に減少し、円錐台構造を形成する。
【００５８】
第１管部１０１及び第２管部１０２は、中央部に波形管部１０５を有する。第１管部１０１及び第２管部１０２が力を受けるとき、波形管部１０５が変形することにより第１管部１０１及び第２管部１０２が変形する。
【００５９】
弁体１００ロッドは中空ロッドである。筐体はキャビディを有する。中空ロッドは、筐体に対して伸縮移動可能に筐体のキャビディに設けられる。弁体１００の第２管部１０２は、中空ロッドの一端の外壁を覆い、内壁が弁体１００ロッドの外壁に対向し、懸架端が密封されるように筐体のキャビディの内壁と接続される。第１管部１０１は、中空ロッドの内側に設けられる。中空ロッドの他端には、開口１０８が設けられる。第１管部１０１の懸架端は開口１０８から伸出する。環状突起１０４は弁体１００ロッドの端部に対向する。中空ロッドの他端は駆動装置に接続される。駆動装置は、筐体内を伸縮移動させるように中空ロッドを駆動する。駆動装置は、駆動モータであってよい。
【００６０】
当該排水弁の取り付け方法は、中空ロッドを筐体のキャビディ内に伸入させ、第２管部１０２を前記中空ロッドの一端の外壁に覆わせ、第２管部１０２の懸架端を密封されるように筐体のキャビディの内壁と接続させ、次に第１管部１０１を内側に反転させて中空ロッドの内側に伸入させ、第１管部１０１の懸架端を中空ロッドの他端の開口１０８から伸出させ、環状突起１０４が弁体１００ロッドの端部に対向するように第１管部１０１及び第２管部１０２を調整し、中空ロッドの他端を駆動装置に接続させる。
【００６１】
前記駆動装置は、筐体に対して伸縮移動させるように中空ロッドを駆動する。弁体１００ロッドが筐体から伸出するとき、第１管部１０１及び第２管部１０２の波形管部１０５は弾性変形し、弁体１００は前記中空ロッドとともに移動する。閉塞部は排水口に密封して接続されて排水口を閉塞する。
【００６２】
第１管部を下方に第２管部の内側に伸入させることにより、射出成形時の第１管部の外壁が二重管式構造の内管の内壁となり、第１管部の内壁が二重管式構造の内管の外壁となり、管状の弁体から二重管式弁体への変換が実現される。
【実施例４】
【００６３】
図３及び図６に示すように、本実施例と実施例３との相違点は、閉塞部が、接続管部１０３の内壁が内側に部分的に伸入することによって形成される環状突起１０４であることである。
【００６４】
取り付け方法は、中空ロッドを筐体のキャビディ内に伸入させ、環状突起１０４から離間した前記第１管部１０１の一端を中空ロッドの内側に伸入させて中空ロッドの開口１０８から伸出させ、次に第２管部１０２を外側に反転させて前記中空ロッドの外壁に覆わせ、元の第２管部１０２の外壁を中空ロッドの外壁に対向させるとともに、第１管部１０１と第２管部１０２との接続箇所から離間した前記第２管部１０２の一端を筐体に接続させ、環状突起１０４が弁体１００ロッドの端部に対向するように第１管部１０１及び第２管部１０２を調整し、中空ロッドの他端を駆動装置に接続させる。
【００６５】
第２管部を下方に折り返すことにより、射出成形時の第２管部の外壁が二重管式構造の外管の内壁となり、第２管部の内壁が二重管式構造の外管の外壁となり、接続管部の内側の閉塞部が折り返すとともに排水口に対向し、管状の弁体から二重管式弁体への変換が実現される。
【００６６】
上記は、本発明の好適実施例に過ぎず、いかなる形態においても本発明を限定するものではない。本発明は、好適実施例で上記のように開示されているが、本発明を限定することを意図するものではない。本発明の技術的手段の範囲から逸脱することなく、本特許に精通している如何なる技術者は、上記で提案された技術的内容を利用して、同等の変更を伴う同等の実施例にいくつかの変更又は修正を加えることができるが、本発明の技術的手段の内容から逸脱することなく、本発明の技術的本質に基づいて上記の実施例に対して行われた如何なる単純な修正、同等の変更及び修正は、いずれも依然として本発明の手段の範囲内に属する。
【符号の説明】
【００６７】
１００  弁体
１０１  第１管部
１０２  第２管部
１０３  接続管部
１０４  環状突起
１０５  波形管部
１０６  弁体外筐
１０７  弁体ロッド
１０８  開口
１０９  外槽インターフェース
【図１】
2021529581.tif 000003
【図２】
2021529581.tif 000004
【図３】
2021529581.tif 000005
【図４】
2021529581.tif 000006
【図５】
2021529581.tif 000007
【図６】
2021529581.tif 000008
【国際調査報告】
2021529581.tif 000009
2021529581.tif 000010
2021529581.tif 000011
2021529581.tif 000012
2021529581.tif 000013